(57)【要約】【課題】本発明は、チップサイズの増加および消費電力の増加を抑えることができ、良好な画質で画像を表示することができる液晶表示装置の駆動装置を提供することを目的とする。【解決手段】信号源３０が静止画の画像データを供給する場合には、メモリ１３が、画像データを構成するＲ，Ｇ，Ｂの各データの上位ビットを記憶する。ソースドライバ１４は、信号源３０から供給される画像データを受信せずに、メモリ１３に記憶された画像データに応じてソース配線の電位を設定する。信号源３０が動画の画像データを供給する場合には、ソースドライバ１４が信号源３０から画像データを受信し、その画像データに応じてソース配線の電位を設定する。【選択図】図２
2008216362.tif 000002
【特許請求の範囲】
【請求項１】
コモン電極とマトリクス状に配置された表示電極との間に液晶を挟持する表示装置に、画像データを供給する信号源から供給される画像データに基づいて画像を表示させる表示装置の駆動装置であって、
マトリクス状に配置された表示電極の各行を選択する行ドライバと、
選択行の各表示電極を選択行の画像データに応じた電位に設定する列ドライバと、
画像データを記憶するメモリと、
静止画の表示を指示する静止画コマンドまたは動画の表示を指示する動画コマンドを信号源から受信し、受信したコマンドに応じてメモリおよび列ドライバを制御する制御手段とを備え、
列ドライバには、画像データを構成するＲ，Ｇ，Ｂのデータとして、それぞれ８ビット以上のデータが信号源から供給され、
メモリには、信号源から列ドライバに供給されるＲ，Ｇ，Ｂの各データの上位ビットがＲ，Ｇ，Ｂのデータとして信号源から供給され、
前記上位ビットのビット数は、４ビットから６ビットのうちのいずれかであり、
制御手段は、静止画コマンドを受信したときには、メモリに対して、信号源からの画像データの記憶を指示し、列ドライバに対して、メモリが記憶している画像データに応じた電位を表示電極に設定するように指示し、動画コマンドを受信したときには、メモリに対して、信号源からの画像データの記憶禁止を指示し、列ドライバに対して、信号源から供給された画像データに応じた電位を表示電極に設定するように指示する
ことを特徴とする表示装置の駆動装置。
【請求項２】
複数の行電極と複数の列電極との間に液晶を挟持する表示装置に、画像データを供給する信号源から供給される画像データに基づいて画像を表示させる表示装置の駆動装置であって、
各行電極を選択する行ドライバと、
各列電極を選択行の画像データに応じた電位に設定する行ドライバと、
画像データを記憶するメモリと、
静止画の表示を指示する静止画コマンドまたは動画の表示を指示する動画コマンドを信号源から受信し、受信したコマンドに応じてメモリおよび列ドライバを制御する制御手段とを備え、
列ドライバには、画像データを構成するＲ，Ｇ，Ｂのデータとして、それぞれ８ビット以上のデータが信号源から供給され、
メモリには、信号源から列ドライバに供給されるＲ，Ｇ，Ｂの各データの上位ビットがＲ，Ｇ，Ｂのデータとして信号源から供給され、
前記上位ビットのビット数は、４ビットから６ビットのうちのいずれかであり、
制御手段は、静止画コマンドを受信したときには、メモリに対して、信号源からの画像データの記憶を指示し、列ドライバに対して、メモリが記憶している画像データに応じた電位を列電極に設定するように指示し、動画コマンドを受信したときには、メモリに対して、信号源からの画像データの記憶禁止を指示し、列ドライバに対して、信号源から供給された画像データに応じた電位を列電極に設定するように指示する
ことを特徴とする表示装置の駆動装置。
【請求項３】
電圧を保持する電圧保持手段と前記電圧保持手段に保持された電圧に応じた定電流を流す定電流回路とがマトリクス状に配置され、各定電流回路とコモン電極との間に有機ＥＬ素子を有する表示装置に、画像データを供給する信号源から供給される画像データに基づいて画像を表示させる表示装置の駆動装置であって、
マトリクス状に配置された電圧保持手段の各行を選択する行ドライバと、
選択行の各電圧保持手段に画像データに応じた電圧を供給する列ドライバと、
画像データを記憶するメモリと、
静止画の表示を指示する静止画コマンドまたは動画の表示を指示する動画コマンドを信号源から受信し、受信したコマンドに応じてメモリおよび列ドライバを制御する制御手段とを備え、
列ドライバには、画像データを構成するＲ，Ｇ，Ｂのデータとして、それぞれ８ビット以上のデータが信号源から供給され、
メモリには、信号源から列ドライバに供給されるＲ，Ｇ，Ｂの各データの上位ビットがＲ，Ｇ，Ｂのデータとして信号源から供給され、
前記上位ビットのビット数は、４ビットから６ビットのうちのいずれかであり、
制御手段は、静止画コマンドを受信したときには、メモリに対して、信号源からの画像データの記憶を指示し、列ドライバに対して、メモリが記憶している画像データに応じた電圧を電圧保持手段に供給するように指示し、動画コマンドを受信したときには、メモリに対して、信号源からの画像データの記憶禁止を指示し、列ドライバに対して、信号源から供給された画像データに応じた電圧を電圧保持手段に供給するように指示する
ことを特徴とする表示装置の駆動装置。
【請求項４】
複数の行電極と複数の列電極との間に有機ＥＬ素子を挟持する表示装置に、画像データを供給する信号源から供給される画像データに基づいて画像を表示させる表示装置の駆動装置であって、
各行電極を選択する行ドライバと、
各列電極から選択された行電極に有機ＥＬ素子を介して画像データに応じた定電流を流す行ドライバと、
画像データを記憶するメモリと、
静止画の表示を指示する静止画コマンドまたは動画の表示を指示する動画コマンドを信号源から受信し、受信したコマンドに応じてメモリおよび列ドライバを制御する制御手段とを備え、
列ドライバには、画像データを構成するＲ，Ｇ，Ｂのデータとして、それぞれ８ビット以上のデータが信号源から供給され、
メモリには、信号源から列ドライバに供給されるＲ，Ｇ，Ｂの各データの上位ビットがＲ，Ｇ，Ｂのデータとして信号源から供給され、
前記上位ビットのビット数は、４ビットから６ビットのうちのいずれかであり、
制御手段は、静止画コマンドを受信したときには、メモリに対して、信号源からの画像データの記憶を指示し、列ドライバに対して、メモリが記憶している画像データに応じた定電流を各列電極から流すように指示し、動画コマンドを受信したときには、メモリに対して、信号源からの画像データの記憶禁止を指示し、列ドライバに対して、信号源から供給された画像データに応じた定電流を各列電極から流すように指示する
ことを特徴とする表示装置の駆動装置。
【請求項５】
列ドライバに、Ｒ，Ｇ，Ｂのデータとして、それぞれ８ビットのデータが信号源から供給される
請求項１、２、３または４に記載の表示装置の駆動装置。
【発明の詳細な説明】
【技術分野】
【０００１】
本発明は、表示装置の駆動装置に関し、特に画像データを保持するメモリを備えた駆動装置に関する。
【背景技術】
【０００２】
携帯電話機等の携帯機器に設けられる表示装置の駆動装置には、１画面分以上の画像データを記憶可能なメモリを内蔵したものが多い。なお、携帯電話機等の携帯機器に設けられる表示装置として、ＴＦＴ液晶表示装置、ＳＴＮ液晶表示装置、有機ＥＬ表示装置がある。駆動装置はＩＣとして構成され、駆動ＩＣ（駆動装置）のメモリには、携帯機器自体を制御する携帯機器の制御回路から画像データが供給される。すなわち、携帯機器の制御回路は、画像データを供給する信号源として、携帯機器内部に設けられた駆動ＩＣ内のメモリに画像データを供給する。表示装置に静止画を表示させる場合、信号源がその静止画の画像データをメモリに供給した後に、駆動ＩＣがその画像データに基づいて画像を表示させればよい。従って、静止画表示時には、信号源はメモリに対する画像データの供給を停止することができ、低消費電力化を実現することができる。
【０００３】
引用文献１は、フレームメモリを備えた液晶駆動装置が記載されている。引用文献１に記載された液晶駆動装置では、信号源からフレームメモリに画像データが供給される。
【０００４】
メモリに画像データを供給するためのバス幅は１８ビットあるいは１６ビットであることが多いが、近年、表示画像の画質を向上させるためメモリのバス幅を２４ビットとした駆動装置も登場し始めている。
【０００５】
なお、メモリのバス幅が１８ビットである場合、信号源は、画像データを構成するＲ（赤色）、Ｇ（緑色）、Ｂ（青色）の各データをそれぞれ６ビットのデータとして供給する。この場合、Ｒ，Ｇ，Ｂの各色についてそれぞれ６４階調で表示を行うことができる。また、メモリのバス幅が１６ビットである場合、信号源は、ＲおよびＢの各データを５ビットのデータとして供給し、Ｇのデータを６ビットのデータとして供給する。この場合、ＲおよびＢについてはそれぞれ３２階調で表示を行うことができ、Ｇについては６４階調で表示を行うことができる。
【０００６】
また、メモリのバス幅が２４ビットである場合、信号源は、Ｒ，Ｇ，Ｂの各データをそれぞれ８ビットのデータとして供給することができる。この場合、Ｒ，Ｇ，Ｂの各色についてそれぞれ２５６階調で表示を行うことができる。
【０００７】
また、メモリを内蔵していない駆動ＩＣも存在する。
【０００８】
【特許文献１】特開２００６−１２６２５６号公報（段落０００６、図５）
【発明の開示】
【発明が解決しようとする課題】
【０００９】
バス幅が２４ビットであるメモリを駆動ＩＣに設けた場合、バス幅が１８ビットまたは１６ビットの場合に比べて駆動ＩＣのチップサイズが大きくなり、価格が高くなってしまっていた。
【００１０】
また、メモリを内蔵していない駆動ＩＣは、信号源から供給される画像データを記憶しておくことができない。そのため、信号源は、静止画を表示するときにも画像データの供給を繰り返し行わなければならない。そのため、消費電力が大きくなってしまう。
【００１１】
そこで、本発明は、チップサイズの増加および消費電力の増加を抑えることができ、良好な画質で画像を表示することができる表示装置の駆動装置を提供することを目的とする。
【課題を解決するための手段】
【００１２】
本発明の表示装置の駆動装置は、コモン電極とマトリクス状に配置された表示電極との間に液晶を挟持する表示装置に、画像データを供給する信号源から供給される画像データに基づいて画像を表示させる表示装置の駆動装置であって、マトリクス状に配置された表示電極の各行を選択する行ドライバと、選択行の各表示電極を選択行の画像データに応じた電位に設定する列ドライバと、画像データを記憶するメモリと、静止画の表示を指示する静止画コマンドまたは動画の表示を指示する動画コマンドを信号源から受信し、受信したコマンドに応じてメモリおよび列ドライバを制御する制御手段とを備え、列ドライバが、画像データを構成するＲ，Ｇ，Ｂのデータとして、それぞれ８ビット以上のデータが信号源から供給される構成であり、メモリが、信号源から列ドライバに供給されるＲ，Ｇ，Ｂの各データの上位ビットがＲ，Ｇ，Ｂのデータとして信号源から供給される構成であり、その上位ビットのビット数が、４ビットから６ビットのうちのいずれかであり、制御手段が、静止画コマンドを受信したときには、メモリに対して、信号源からの画像データの記憶を指示し、列ドライバに対して、メモリが記憶している画像データに応じた電位を表示電極に設定するように指示し、動画コマンドを受信したときには、メモリに対して、信号源からの画像データの記憶禁止を指示し、列ドライバに対して、信号源から供給された画像データに応じた電位を表示電極に設定するように指示することを特徴とする。
【００１３】
本発明の表示装置の駆動装置は、複数の行電極と複数の列電極との間に液晶を挟持する表示装置に、画像データを供給する信号源から供給される画像データに基づいて画像を表示させる表示装置の駆動装置であって、各行電極を選択する行ドライバと、各列電極を選択行の画像データに応じた電位に設定する行ドライバと、画像データを記憶するメモリと、静止画の表示を指示する静止画コマンドまたは動画の表示を指示する動画コマンドを信号源から受信し、受信したコマンドに応じてメモリおよび列ドライバを制御する制御手段とを備え、列ドライバが、画像データを構成するＲ，Ｇ，Ｂのデータとして、それぞれ８ビット以上のデータが信号源から供給される構成であり、メモリが、信号源から列ドライバに供給されるＲ，Ｇ，Ｂの各データの上位ビットがＲ，Ｇ，Ｂのデータとして信号源から供給される構成であり、その上位ビットのビット数が、４ビットから６ビットのうちのいずれかであり、制御手段が、静止画コマンドを受信したときには、メモリに対して、信号源からの画像データの記憶を指示し、列ドライバに対して、メモリが記憶している画像データに応じた電位を列電極に設定するように指示し、動画コマンドを受信したときには、メモリに対して、信号源からの画像データの記憶禁止を指示し、列ドライバに対して、信号源から供給された画像データに応じた電位を列電極に設定するように指示することを特徴とする。
【００１４】
また、本発明の表示装置の駆動装置は、電圧を保持する電圧保持手段（例えば、電圧保持電極８１）とその電圧保持手段に保持された電圧に応じた定電流を流す定電流回路とがマトリクス状に配置され、各定電流回路とコモン電極との間に有機ＥＬ素子を有する表示装置に、画像データを供給する信号源から供給される画像データに基づいて画像を表示させる表示装置の駆動装置であって、マトリクス状に配置された電圧保持手段の各行を選択する行ドライバと、選択行の各電圧保持手段に画像データに応じた電圧を供給する列ドライバと、画像データを記憶するメモリと、静止画の表示を指示する静止画コマンドまたは動画の表示を指示する動画コマンドを信号源から受信し、受信したコマンドに応じてメモリおよび列ドライバを制御する制御手段とを備え、列ドライバには、画像データを構成するＲ，Ｇ，Ｂのデータとして、それぞれ８ビット以上のデータが信号源から供給され、メモリには、信号源から列ドライバに供給されるＲ，Ｇ，Ｂの各データの上位ビットがＲ，Ｇ，Ｂのデータとして信号源から供給され、その上位ビットのビット数が、４ビットから６ビットのうちのいずれかであり、制御手段が、静止画コマンドを受信したときには、メモリに対して、信号源からの画像データの記憶を指示し、列ドライバに対して、メモリが記憶している画像データに応じた電圧を電圧保持手段に供給するように指示し、動画コマンドを受信したときには、メモリに対して、信号源からの画像データの記憶禁止を指示し、列ドライバに対して、信号源から供給された画像データに応じた電圧を電圧保持手段に供給するように指示することを特徴とする。
【００１５】
また、本発明の表示装置の駆動装置は、複数の行電極と複数の列電極との間に有機ＥＬ素子を挟持する表示装置に、画像データを供給する信号源から供給される画像データに基づいて画像を表示させる表示装置の駆動装置であって、各行電極を選択する行ドライバと、各列電極から選択された行電極に有機ＥＬ素子を介して画像データに応じた定電流を流す行ドライバと、画像データを記憶するメモリと、静止画の表示を指示する静止画コマンドまたは動画の表示を指示する動画コマンドを信号源から受信し、受信したコマンドに応じてメモリおよび列ドライバを制御する制御手段とを備え、列ドライバには、画像データを構成するＲ，Ｇ，Ｂのデータとして、それぞれ８ビット以上のデータが信号源から供給され、メモリには、信号源から列ドライバに供給されるＲ，Ｇ，Ｂの各データの上位ビットがＲ，Ｇ，Ｂのデータとして信号源から供給され、その上位ビットのビット数は、４ビットから６ビットのうちのいずれかであり、制御手段が、静止画コマンドを受信したときには、メモリに対して、信号源からの画像データの記憶を指示し、列ドライバに対して、メモリが記憶している画像データに応じた定電流を各列電極から選択された行電極に流すように指示し、動画コマンドを受信したときには、メモリに対して、信号源からの画像データの記憶禁止を指示し、列ドライバに対して、信号源から供給された画像データに応じた定電流を各列電極から選択された行電極に流すように指示することを特徴とする。
【００１６】
列ドライバに、Ｒ，Ｇ，Ｂのデータとして、それぞれ８ビットのデータが信号源から供給される構成であってもよい。
【発明の効果】
【００１７】
本発明によれば、メモリに、信号源から列ドライバに供給されるＲ，Ｇ，Ｂの各データの上位ビットがＲ，Ｇ，Ｂのデータとして信号源から供給されるので、サイズの増加を抑えることができ、駆動装置のチップサイズの増加を抑えることができる。また、メモリが画像データを記憶するので、信号源が静止画の画像データを供給し続ける必要がなく、消費電力の増加を抑えることができる。また、動画の場合にはＲ，Ｇ，Ｂそれぞれ８ビット以上の画像データで画像を表示し、静止画の場合にはＲ，Ｇ，Ｂそれぞれが４ビットから６ビットのうちのいずれかである画像データで画像を表示するので、良好な画質を実現することができる。
【発明を実施するための最良の形態】
【００１８】
以下、本発明の実施の形態を図面を参照して説明する。
本発明によって駆動される表示装置は、ＴＦＴ（Thin Film Transistor）液晶表示装置であっても、ＳＴＮ（Super Twisted Nematic ）液晶表示装置であってもよい。また、有機ＥＬ(Electroluminescence )表示装置であってもよい。まず、表示装置がＴＦＴ液晶表示装置である場合を例にして説明する。
【００１９】
図１は、ＴＦＴ液晶表示装置の構成例を示す説明図である。ＴＦＴ液晶表示装置には、画素毎にＴＦＴ１と表示電極２が設けられる。図１では、ＴＦＴ１と表示電極２を１つだけ図示し、他のＴＦＴおよび表示電極の図示を省略している。ＴＦＴ液晶表示装置には、各表示電極と対向するコモン電極３が設けられる。本例では、ＴＦＴ液晶表示装置に設けられるコモン電極が１枚である場合を例にして説明する。コモン電極３と各表示電極２とによって液晶層（図示せず。）が挟持される。
【００２０】
各画素は、マトリクス状に配置される。すなわち、図１に示すＴＦＴ１と表示電極２との組み合わせは、マトリクス状に配置される。
【００２１】
表示電極２は、ＴＦＴ１のドレイン１ｂに接続される。また、ＴＦＴ１のソース１ｃは、ソース配線４に接続され、ＴＦＴ１のゲート１ａは、ゲート配線５に接続される。ゲート配線５を介してゲート１ａの電位が所定のオン電位に設定されると、ソース１ｃとドレイン１ｂとの間が導通状態となり、表示電極２がソース配線４と等しい電位に設定される。ゲート１ａの電位が所定のオフ電位に設定されると、ソース１ｃとドレイン１ｂとの間が非導通状態となり、ソース配線４と表示電極２の間も非導通状態に切り替えられる。所定のオン電位とは、ソース１ｃとドレイン１ｂとの間を導通状態にするためのゲート１ａの所定電位である。所定のオフ電位とは、ソース１ｃとドレイン１ｂとの間を非導通状態にするためのゲート１ａの所定電位である。以下、所定のオン電位をＶｇＨと表し、所定のオフ電位をＶｇＬと表すことにする。
【００２２】
図２は、本発明の駆動装置の構成例を示す説明図である。液晶表示装置２０を駆動する駆動装置１１は、ＩＣによって実現される。以下、駆動装置を駆動ＩＣと記す。駆動ＩＣ１１は、制御部１２と、メモリ１３と、列ドライバ１４と、行ドライバ１５と、電源制御回路１６とを備える。液晶表示装置がＴＦＴ液晶表示装置である場合の以下の説明では、列ドライバ１４、行ドライバ１５をそれぞれソースドライバ１４、ゲートドライバ１５と記す。
【００２３】
駆動ＩＣ１１および液晶表示装置２０は、例えば、携帯電話機等の携帯機器に設けられる。携帯機器自体を制御する携帯機器の制御回路は、駆動ＩＣ１１に対して画像データを供給する。以下、携帯機器の制御回路を信号源（またはシステム）と記す。
【００２４】
各ゲート配線５（図１参照。）は行毎に、１行におけるそれぞれのＴＦＴ１のゲート１ａに接続される。また、各ゲート配線５は、ゲートドライバ１５（図２参照。）に接続される。各ソース配線４（図１参照。）は列毎に、１列におけるそれぞれのＴＦＴ１のソース１ｃに接続される。また、各ソース配線４は、ソースドライバ１４（図２参照。）に接続される。
【００２５】
ゲートドライバ１５は、表示電極を行毎に順次選択する。具体的には、ゲートドライバ１５は、ゲート配線を順次選択しながら走査し、選択したゲート配線の電位をＶｇＨに設定し、選択していないゲート配線の電位をＶｇＬに設定する。ゲートドライバ１５によって、行（ゲート配線）が選択されている間、ソースドライバ１４は、選択された行に対応する１行分の画像データに応じて、各ソース配線の電位を設定する。この結果、選択された行の各表示電極は、ソースドライバ１４によって、選択された行の画像データに応じた電位に設定され、選択された１行分の各表示電極２とコモン電極３（図１参照。）との間の液晶に、画像データに応じた電圧が印加される。また、その各表示電極２とコモン電極３との間にそれぞれ電荷が蓄積される。以降、同様にゲート配線を順次選択していくことにより、１画面分の画像が液晶表示パネル１に表示される。
【００２６】
メモリ１３は、信号源３０が供給する画像データのうち、静止画の画像データを記憶する。
【００２７】
メモリ１３およびソースドライバ１４には、それぞれ信号源３０から画像データを構成するＲ，Ｇ，Ｂの各データが供給される。図３は、画像データを供給するためのバスを模式的に示す説明図である。信号源３０は、静止画であるか動画であるかによらず、画像データを構成するＲ，Ｇ，Ｂの各データをそれぞれ８ビット以上のデータとして、バスを介して供給する。ここでは、Ｒ，Ｇ，Ｂの各データをそれぞれ８ビットのデータとして供給し、Ｒ，Ｇ，Ｂのデータの各ビット数の合計が２４ビットである場合を例にして説明する。
【００２８】
信号源３０からＲ，Ｇ，Ｂの各データが供給されるバスのうち、Ｒ，Ｇ，Ｂの各データの上位ビットが供給されるバス４１は、メモリ１３とソースドライバ１４の双方に接続され、信号源３０は、Ｒ，Ｇ，Ｂの各データの上位ビットをメモリ１３とソースドライバ１４に供給することができる。また、信号源３０からＲ，Ｇ，Ｂの各データが供給されるバスのうち、上位ビットに該当しない下位ビットが供給されるバス４２は、ソースドライバ１４のみに接続され、信号源３０は、Ｒ，Ｇ，Ｂの各データの下位ビットをソースドライバ１４のみに供給することができる。従って、ソースドライバ１４には、Ｒ，Ｇ，Ｂの各データがそれぞれ８ビットのデータとしてシステムから供給されるが、メモリ１３には、Ｒ，Ｇ，Ｂの各データの上位ビットのみが供給される。
【００２９】
ここで、上位ビットのビット数は、４〜６ビットのいずれかである。信号源３０は、メモリ１３に対してＲ，Ｇ，Ｂの各データの上位６ビットを供給してもよい。この場合、Ｒ，Ｇ，Ｂのデータの各ビット数の合計は１８ビットになる。また、信号源３０は、メモリ１３に対してＲ，Ｇ，Ｂの各データの上位４ビットを供給してもよい。この場合、Ｒ，Ｇ，Ｂのデータの各ビット数の合計は１２ビットになる。また、メモリ１３に供給されるＲ，Ｇ，Ｂのデータの各ビット数の合計が１６ビットになるようにしてもよい。例えば、信号源３０は、メモリ１３に対して、ＲおよびＢの各データの上位５ビットと、Ｇのデータの上位６ビットを供給してもよい。ここでは、信号源３０がメモリ１３にＲ，Ｇ，Ｂの各データの上位６ビットを供給する場合を例にして説明する。
【００３０】
制御部１２は、静止画の表示を指示するコマンドである静止画コマンド、または動画の表示を指示するコマンドである動画コマンドを、信号源３０から受信する。そして、制御部１２は、信号源３０から受信したコマンドが静止画コマンドであるか動画コマンドであるかによって、メモリ１３およびソースドライバ１４を以下のように制御する。
【００３１】
制御部１２は、信号源３０から静止画コマンドを受信した場合、信号源３０から供給されるＲ，Ｇ，Ｂの各データを記憶することをメモリ１３に命令する。メモリ１３は、この命令を制御部１２から受けた後、信号源３０からＲ，Ｇ，Ｂの上位ビット（Ｒ，Ｇ，Ｂ各８ビットの上位６ビット）のデータが供給されると、供給されたＲ，Ｇ，Ｂの各データを記憶する。また、制御部１２は、信号源３０から静止画コマンドを受信した場合、ソースドライバ１４に対して、信号源３０から供給されるデータの受信を禁止して、メモリ１３が記憶している画像データに応じて各表示電極の電位を設定する命令を送る。ソースドライバ１４は、この命令を受けると、信号源３０から供給されるＲ，Ｇ，Ｂそれぞれ８ビットのデータを受信しない。また、ソースドライバ１４は、メモリ１３に記憶されている画像データ（すなわち、Ｒ，Ｇ，Ｂの上位ビット）に応じて各ソース配線の電位を設定することにより、各表示電極の電位を設定する。
【００３２】
制御部１２は、信号源３０から動画コマンドを受信した場合、信号源３０から供給されるＲ，Ｇ，Ｂの各データの記憶禁止をメモリ１３に命令する。メモリ１３は、この命令を制御部１２から受けた後、信号源３０からＲ，Ｇ，Ｂの上位ビットのデータが供給されても、そのデータを記憶しない。また、制御部１２は、信号源３０から動画コマンドを受信した場合、ソースドライバ１４に対して、信号源３０から供給される画像データに応じて各表示電極の電位を設定する命令を送る。ソースドライバ１４は、この命令を受けると、信号源３０から供給されるＲ，Ｇ，Ｂそれぞれ８ビットのデータに応じて各ソース配線の電位を設定することにより、各表示電極の電位を設定する。
【００３３】
信号源３０は、静止画コマンドを制御部１２に送信した場合、静止画の画像データを供給する。また、信号源３０は、動画コマンドを制御部１２に送信した場合、動画の画像データを供給する。
【００３４】
また、制御部１２は、選択行の切り替えを指示する制御信号（以下、行切替信号と記す。）をソースドライバ１４およびゲートドライバ１５に出力する。ゲートドライバ１５は、行切替信号が入力されると、選択する行（ゲート配線）を切り替える。また、ソースドライバ１４は、行切替信号が入力されると、選択行の画像データに基づいて各ソース配線の電位を設定する。
【００３５】
電源制御回路１６は、ゲートドライバ１５、ソースドライバ１４、および液晶表示装置２０に供給される電圧を制御する。具体的には、電源制御回路１６は、ゲートドライバ１５に供給する電圧をＶｇＨおよびＶｇＬに制御する。また、電源制御回路１６は、液晶表示装置２０のコモン電極２（図１参照。）の電位を所定電位に設定する。また、電源制御回路１６は、ソースドライバ１４が画像データに応じた各階調の電位をソース配線に設定することが可能な電圧をソースドライバ１４に供給する。
【００３６】
次に、動作について説明する。図４は、静止画を液晶表示装置２０に表示させる場合の駆動ＩＣおよび信号源の動作を示す説明図である。静止画を表示させる場合、まず、信号源３０が駆動ＩＣ１１の制御部１２に静止画コマンドを送信する（ステップＳ１）。
【００３７】
制御部１２は、信号源３０から静止画コマンドを受信すると、信号源３０から供給されるＲ，Ｇ，Ｂの各データを記憶することをメモリ１３に命令する（ステップＳ２）。
【００３８】
また、信号源３０は、静止画コマンドを制御部１２に送信した後、バスを介して、静止画の画像データを構成するＲ，Ｇ，Ｂそれぞれのデータを供給する（ステップＳ３）。信号源３０は、静止画の画像データを構成するＲ，Ｇ，Ｂのデータとしてそれぞれ８ビットのデータを、バスを介して供給する。メモリ１３には上位６ビットのデータを供給するバスが接続されているので、信号源３０は、メモリ１３に対して、静止画の画像データを構成するＲ，Ｇ，Ｂそれぞれの８ビットのデータのうち上位６ビットを供給する。メモリ１３は、ステップＳ２で制御部１２から受けた命令に従って、信号源３０から供給されるＲ，Ｇ，Ｂそれぞれの上位６ビットのデータを記憶する。ステップＳ３において、信号源３０は、１画面分の静止画の画像データを供給し、メモリ１３はその画像データを記憶する。信号源３０は、１画面分の静止画の画像データを供給した後、画像データの供給を停止する。
【００３９】
また、制御部１２は、ソースドライバ１４に対して、信号源３０から供給されるデータの受信を禁止して、メモリ１３が記憶している画像データに応じて各表示電極の電位を設定する命令を出力する（ステップＳ４）。
【００４０】
なお、制御部１２は、ステップＳ３における信号源３０からの画像データ供給が停止された後にステップＳ４の命令を出力する。例えば、制御部１２は、静止画コマンドを受信してから所定時間が経過したことをもって、ステップＳ３における信号源３０からの画像データ供給が停止されたと判定してもよい。制御部１２は、信号源３０からの画像データ供給が停止されたことを他の態様で判定してもよい。
【００４１】
また、ソースドライバ１４は、ステップＳ４で制御部１２から入力された命令に従い、メモリ１３が記憶している画像データ（メモリ１３がステップＳ３において制御部１２から供給され記憶した画像データ）に応じて、各ソース配線の電位を設定する（ステップＳ５）。このとき、ソースドライバ１４は、制御部１２から行切替信号が入力される毎に、選択行の画像データに応じて各ソース配線の電位を設定する。
【００４２】
図５は、動画を液晶表示装置２０に表示させる場合の駆動ＩＣおよび信号源の動作を示す説明図である。動画を表示させる場合、信号源３０が駆動ＩＣ１１の制御部１２に動画コマンドを送信する（ステップＳ１１）。
【００４３】
制御部１２は、信号源３０から動画コマンドを受信すると、信号源３０から供給されるＲ，Ｇ，Ｂの各データの記憶の禁止をメモリ１３に命令する（ステップＳ１２）。また、制御部１２は、ソースドライバ１４に対して、信号源３０から供給される画像データに応じて各表示電極の電位を設定する命令を出力する（ステップＳ１３）。
【００４４】
信号源３０は、動画コマンドを制御部１２に送信した後、バスを介して、動画の画像データを構成するＲ，Ｇ，Ｂそれぞれのデータを供給する（ステップＳ１４）。このとき、信号源３０は、動画の画像データを構成するＲ，Ｇ，Ｂのデータとしてそれぞれ８ビットのデータを、バスを介して供給する。ソースドライバ１４にはＲ，Ｇ，Ｂの上位６ビットを供給するバスだけでなく、下位のビットを供給するバスも接続されているので、信号源３０は、ソースドライバ１４にＲ，Ｇ，Ｂそれぞれ８ビットのデータを供給する。
【００４５】
このとき、メモリ１３にもＲ，Ｇ，Ｂそれぞれの上位６ビットのデータが供給される。しかし、メモリ１３は、ステップＳ１２で制御部１２から受けた命令に従って、信号源３０から供給される画像データを記憶しない。
【００４６】
ステップＳ１４において、信号源３０は、連続して表示されることで動画となる複数画面分の画像を順次ソースドライバ１４に供給する。
【００４７】
ソースドライバ１４は、ステップＳ１３で制御部１２から入力された命令に従い、信号源３０から順次供給される画像に応じて、各ソース配線の電位を設定する（ステップＳ１５）。ソースドライバ１４は、制御部１２から行切替信号が入力される毎に、選択行の画像データに応じて各ソース配線の電位を設定する。
【００４８】
また、ステップＳ１４において、信号源３０は、ＲＧＢインタフェースで画像データを供給する。ＲＧＢインタフェースは、システム（信号源）３０からの１行分の画像データの供給時間と、選択行を切り替えてから次に選択行を切り替えるまでの時間とを同期させる画像データの供給態様である。
【００４９】
なお、ステップＳ３（図４参照。）で信号源３０が画像データを供給する態様は、ＲＧＢインタフェースであっても、ＣＰＵインタフェースであってもよい。ただし、画像データの供給態様は統一されていることが好ましいので、ステップＳ３においても、信号源３０はＲＧＢインタフェースで画像データを供給することが好ましい。ＣＰＵインタフェースとは、システム（信号源）３０からの１行分の画像データの供給時間と、選択行を切り替えてから次に選択行を切り替えるまでの時間とが非同期である画像データ供給態様である。
【００５０】
以上の説明では、信号源３０が供給するＲ，Ｇ，Ｂの各データが８ビットであり、メモリ１３にはその上位６ビットが入力される場合を例にして説明した。信号源３０が供給するＲ，Ｇ，Ｂの各データは８ビット以上であってもよい。また、メモリ１３に供給される上位ビットのビット数は、６ビットではなく、４ビットや５ビットであってもよい。
【００５１】
本発明によれば、メモリ１３には、Ｒ、Ｇ、Ｂ各データの上位４〜６ビットが供給され、メモリ１３は、その上位ビットのデータを記憶する。従って、メモリ１３として大きなサイズのメモリを用いる必要がなく、駆動ＩＣ１のチップサイズ増加を抑えることができる。
【００５２】
また、動画を表示する際には、Ｒ，Ｇ，Ｂがそれぞれ８ビット以上である画像データを用いて画像を表示する。従って、良好な画質で動画を表示することができる。また、静止画を表示する場合には、メモリ１３に記憶されたＲ，Ｇ，Ｂの上位４〜６ビットのデータを用いて画像を表示する。静止画の場合には、Ｒ，Ｇ，Ｂの上位４〜６ビットのデータでも良好な画質で画像を表示することができる。例えば、Ｒ，Ｇ，Ｂそれぞれの上位６ビットのデータで画像を表示する場合、約２６万色の色を表示できる。また、Ｒ，Ｂそれぞれの上位５ビットとＧの上位６ビットのデータで画像を表示する場合、約６万５千色の色を表示できる。また、Ｒ，Ｇ，Ｂそれぞれの上位４ビットのデータで画像を表示する場合、４０９６色の色を表示できる。このように多くの色を表示できるので、静止画の場合には上位４〜６ビットで良好な画質を得ることができる。従って、本発明によれば動画を表示する場合であっても、静止画を表示する場合であっても、良好な画質で画像を表示することができる。
【００５３】
また、信号源３０は、１画面分の静止画の画像データを供給した後、画像データの供給を停止する。従って、静止画を表示させる場合における消費電力の増加を抑えることができる。なお、信号源３０は、動画コマンドを制御部１２に送信した後に、静止画の画像データを連続的に供給してもよい。この場合、図５に示す動画表示時の動作と同様に、Ｒ，Ｇ，Ｂの全ビットを用いて静止画を表示する。このときには、静止画の画質をさらに向上させることができる。
【００５４】
また、表示装置はＴＦＴ液晶表示装置ではなく、ＳＴＮ液晶表示装置であってもよい。図６は、ＳＴＮ液晶表示装置が備える電極を模式的に示す説明図である。図６に示すように、ＳＴＮ液晶表示装置は、複数の行電極７１と複数の列電極７２とを備え、行電極７１と列電極７２との間に液晶を挟持している。また、各行電極７１と各列電極７２とは互いに直交する。
【００５５】
表示装置がＳＴＮ液晶表示装置である場合の駆動ＩＣの構成は、以下の点を除き、ＴＦＴ液晶表示装置の駆動ＩＣと同様である。
【００５６】
行ドライバ１５は、個々の行電極７１と接続され、各行電極を選択する。具体的には、行ドライバ１５は、各行電極を順次選択しながら走査を行い、選択した行電極の電位を選択時電位（Ｖ１とする。）に設定し、選択していない行電極の電位を非選択時電位（Ｖ２とする。）に設定する。また、列ドライバ１４は、個々の列電極７２に接続される。そして、選択された行電極に対応する１行分の画像データに応じて、各列電極の電位を設定する。
【００５７】
また、ＳＴＮ液晶表示装置は、図１に示すようなコモン電極を備えていないので、電源制御回路１６は、液晶表示装置２０に対して直接的に電圧を供給することはない。電源制御回路１６は、行ドライバ１５に供給する電力をＶ１，Ｖ２に制御する。また、電源制御回路１６は、列ドライバ１４が画像データに応じた各階調の電位を列電極に設定することが可能な電圧を列ドライバ１４に供給する。
【００５８】
また、表示装置は、アクティブ型の有機ＥＬ表示装置であってもよい。図７は、アクティブ型の有機ＥＬ表示装置の構成例を示す説明図である。図１と同様の構成要素については、図１と同一の符号を付し説明を省略する。アクティブ型の有機ＥＬ表示装置は、画素毎に、ＴＦＴ１と、電圧保持電極８１と、定電流回路８２とを備える。電圧保持電極８１と定電流回路８２の組み合わせは、マトリクス状に配置される。また、図７では図示を省略しているが、アクティブ型の有機ＥＬ表示装置も図１に例示する構成と同様に、コモン電極を備えている。そして、コモン電極とマトリクス状に配置された定電流回路８２との間に有機ＥＬ素子（図示せず。）が配置されている。有機ＥＬ素子は、定電流回路８２からコモン電極側に電流が流れると、電流値に比例した輝度で発光する。ただし、コモン電極から定電流回路８２側に電流が流れた場合には発光しない。
【００５９】
電圧保持電極８１、ＴＦＴ１、ソース配線４、およびゲート配線５の接続態様は、図１に示す表示電極２、ＴＦＴ１、ソース配線４、およびゲート配線５の接続態様と同様である。
【００６０】
電圧保持電極８１は、ソース配線４と導通状態になったときに、ソース配線４から電圧を供給され、その電圧を保持する。ゲートドライバ１５によって、行（ゲート配線）が選択されている間、ソースドライバ１４は、選択された行に対応する１行分の画像データに応じて、各ソース配線を介して選択された行の各電圧保持電極８１に電圧を供給する。各電圧保持電極８１は、供給された電圧を保持する。
【００６１】
定電流回路８２は、定電流回路８２に接続されている電圧保持電極８１が保持している電圧に応じた定電流（例えば、電圧保持電極８１が保持している電圧に比例する電流）を有機ＥＬ素子を介してコモン電極に流す。
【００６２】
また、ゲートドライバ１５は、電圧保持電極８１を行毎に順次選択する。具体的には、ゲートドライバ１５は、ゲート配線を順次選択しながら走査し、選択したゲート配線の電位をＶｇＨに設定し、選択していないゲート配線の電位をＶｇＬに設定する。この走査の態様は、表示装置がＴＦＴ液晶表示装置である場合と同様である。
【００６３】
また、制御部１２は、静止画コマンドを信号源から受信した場合、ソースドライバ１４に対して、メモリが記憶している画像データに応じた電圧を電圧保持電極８１に供給するように指示する。制御部１２は、動画コマンドを信号源から受信した場合、ソースドライバ１４に対して、信号源から供給される画像データに応じた電圧を電圧保持電極８１に供給するように指示する。制御部１２がメモリに対して出力する命令は、表示装置がＴＦＴ液晶表示装置である場合と同様である。
【００６４】
他の点に関しては、表示装置がＴＦＴ液晶表示装置である場合と同様である。
【００６５】
また、表示装置は、パッシブ型の有機ＥＬ表示装置であってもよい。パッシブ型の有機ＥＬ表示装置は、ＳＴＮ液晶表示装置と同様に図６に例示するような複数の行電極７１と複数の列電極７２とを備えている。そして、行電極７１と列電極７２との間に有機ＥＬ素子（図示せず。）を備えている。有機ＥＬ素子は、列電極７２から行電極７１側に電流が流れると、電流値に比例した輝度で発光する。だたし、行電極７１から列電極７２側に電流が流れた場合には発光しない。
【００６６】
行ドライバ１５の動作は、表示装置がＳＴＮ液晶表示装置である場合と同様である。ただし、表示装置がパッシブ型の有機ＥＬ表示装置である場合、選択時電位Ｖ１は、非選択時電位Ｖ２よりも低い。
【００６７】
列ドライバ１４は、それぞれの列電極に対応する定電流回路（図示せず。）を備えている。そして、列ドライバ１４は、各列電極から選択された行電極に対して定電流を流す。このとき、列ドライバ１４は、それぞれの列電極から、選択された行電極に対応する１行分の画像データに応じた定電流を流す。
【００６８】
また、制御部１２は、静止画コマンドを信号源から受信した場合、列ドライバ１４に対して、メモリが記憶している画像データに応じた定電流を各列電極から流すように指示する。制御部１２は、動画コマンドを信号源から受信した場合、列ドライバ１４に対して、信号源から供給される画像データに応じた定電流を各列電極から流すように指示する。制御部１２がメモリに対して出力する命令は、表示装置がＴＦＴ液晶表示装置である場合と同様である。
【００６９】
他の点に関しては、表示装置がＳＴＮ液晶表示装置である場合と同様である。
【００７０】
表示装置がＳＴＮ液晶表示装置または有機ＥＬ表示装置であっても、ＴＦＴ液晶表示装置の場合と同様の効果が得られる。
【産業上の利用可能性】
【００７１】
本発明は、携帯機器等に備えられる表示装置の駆動装置に好適に適用される。
【図面の簡単な説明】
【００７２】
【図１】ＴＦＴ液晶表示装置の構成例を示す説明図。
【図２】本発明の駆動装置の構成例を示す説明図。
【図３】画像データを供給するためのバスを模式的に示す説明図。
【図４】静止画を液晶表示装置に表示させる場合の駆動ＩＣおよび信号源の動作を示す説明図。
【図５】動画を液晶表示装置に表示させる場合の駆動ＩＣおよび信号源の動作を示す説明図。
【図６】ＳＴＮ液晶表示装置が備える電極を模式的に示す説明図。
【図７】アクティブ型の有機ＥＬ表示装置の構成例を示す説明図。
【符号の説明】
【００７３】
１１  駆動装置（駆動ＩＣ）
１２  制御部
１３  メモリ
１４  列ドライバ
１５  行ドライバ
１６  電源制御回路
２０  液晶表示装置
３０  信号源
【図１】
2008216362.tif 000003
【図２】
2008216362.tif 000004
【図３】
2008216362.tif 000005
【図４】
2008216362.tif 000006
【図５】
2008216362.tif 000007
【図６】
2008216362.tif 000008
【図７】
2008216362.tif 000009